【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
レンズと、
電気−機械エネルギー変換作用により振動が励起される振動部材および該振動部材と圧接する接触部材を含み、前記レンズを光軸方向に駆動する振動型リニアアクチュエータと、
前記振動部材および接触部材のうち一方の部材を保持し、該振動部材と接触部材との圧接力よりも小さな力を受けて前記一方の部材の位置および傾きのうち少なくとも一方を変化させる保持機構とを有し、
前記保持機構は、前記圧接力よりも小さな力を受けて変形する弾性部材を含むことを特徴とする光学機器。
【請求項２】
前記保持機構は、前記一方の部材の光軸方向への変位を制限することを特徴とする請求項１に記載の光学機器。
【請求項３】
レンズと、
電気−機械エネルギー変換作用により振動が励起される振動部材および該振動部材と圧接する接触部材を含み、前記レンズを光軸方向に駆動する振動型リニアアクチュエータと、
前記振動部材および接触部材のうち一方の部材を保持し、該振動部材と接触部材との圧接力よりも小さな力を受けて前記一方の部材の位置および傾きのうち少なくとも一方を変化させる保持機構とを有し、
前記保持機構は、前記圧接力よりも小さい力を受けて互いに係合する突起部と穴部を含むことを特徴とする光学機器。
【請求項４】
前記保持機構は、前記圧接力を発生させる手段とは別に設けられていることを特徴とする請求項１から３のいずれか１つに記載の光学機器。
【請求項５】
前記接触部材は磁石により構成されており、
該接触部材による前記振動部材の吸着により前記圧接力を発生することを特徴とする請求項４に記載の光学機器。
【請求項６】
前記レンズを保持し、前記振動部材又は前記接触部材が設けられたレンズ保持部材と、
該レンズ保持部材と係合して、該レンズ保持部材を光軸方向にガイドするガイド部材とを有することを特徴とする請求項１から５のいずれか１つに記載の光学機器。
【手続補正２】
【補正対象書類名】明細書
【補正対象項目名】０００９
【補正方法】変更
【補正の内容】
【０００９】
本発明の一側面としての光学機器は、レンズと、電気−機械エネルギー変換作用により振動が励起される振動部材および該振動部材と圧接する接触部材を含み、該レンズを光軸方向に駆動する振動型リニアアクチュエータとを有する。そして、振動部材および接触部材のうち一方の部材を保持し、該振動部材と接触部材との圧接力よりも小さな力を受けて該一方の部材の位置および傾きのうち少なくとも一方を変化させる保持機構を有し、該保持機構は、上記圧接力よりも小さな力を受けて変形する弾性部材を含むことを特徴とする。
【手続補正３】
【補正対象書類名】明細書
【補正対象項目名】００１９
【補正方法】変更
【補正の内容】
【００１９】
１８は磁石と摩擦材とを接合して構成されたスライダ（接触部材）であり、第２レンズ保持部材１２に形成された溝部１２ｃ内に接着等で固定されている。１９は電気−機械エネルギー変換素子と該電気−機械エネルギー変換素子により振動が励起される板状の弾性部材とにより構成される振動子である。ここで、該振動子１９の弾性部材は強磁性体であり、該強磁性体がスライダ１８の磁石と引き合うことにより、スライダ１８の摩擦材の圧接面１８ａと振動子１９の弾性部材において光軸方向２箇所に形成された圧接面１９ａ，１９ｂとが圧接される。
【手続補正４】
【補正対象書類名】明細書
【補正対象項目名】００２９
【補正方法】変更
【補正の内容】
【００２９】
３９はビス４２，４３により後部鏡筒５に固定された振動子保持部材であり、この振動子保持部材３９には、ビス４６，４７により板バネ３８が固定されている。
【手続補正５】
【補正対象書類名】明細書
【補正対象項目名】００５７
【補正方法】変更
【補正の内容】
【００５７】
２２１は振動子２１９を固定するスペーサであり、その中央に形成された穴部２２１ａに第２レンズ保持部材２１２に形成された球状突起部２１２ｅが係合することによって、スペーサ２２１は、光軸方向（すなわち、駆動方向）への移動は阻止（制限）され、かつ回転および光軸方向以外への移動は許容された状態で保持される。また、第２レンズ保持部材２１２に形成された突起部２１２ｃ，２１２ｄと不図示の突起部によってスペーサ２２１の外周をある程度のがたを許容して保持される。これにより、スペーサ２２１は、振動子２１９の圧接面２１９ａがスライダ２１８の圧接面２１８ａに対して平行になるように移動できる。
【手続補正６】
【補正対象書類名】明細書
【補正対象項目名】００６０
【補正方法】変更
【補正の内容】
【００６０】
２２８は第２レンズ保持部材２１２の位置を検出するために用いられるスケールであり、第２レンズ保持部材２１２に形成された溝部２１２ｆ内に接着等で固定されている。２２９はスケール２２８に投光し、該スケール２２８からの反射光を受光して第２レンズ保持部材２１２の移動量を検出するための投受光素子である。これらスケール２２８および投受光素子２２９とにより検出器としての第１のリニアエンコーダが構成される。
【手続補正７】
【補正対象書類名】明細書
【補正対象項目名】００６５
【補正方法】変更
【補正の内容】
【００６５】
ここで、図７に示すように、光軸直交方向視において、第１の振動型リニアアクチュエータの光軸方向における設置範囲（スライダ２１８が設けられた範囲）および第２レンズ保持部材２１２の光軸方向での可動範囲Ｌ２は、光量調節ユニット２１５よりも物体側（図７の左側）から像面側に延びている。一方、第２の振動型リニアアクチュエータの光軸方向における設置範囲（スライダ２３４が設けられた範囲）および第４レンズ保持部材２１４の光軸方向での可動範囲Ｌ４は、光量調節ユニット２１５よりも像面側から物体側まで延びている。すなわち、第１および第２の振動型リニアアクチュエータの設置範囲（第２および第４レンズ保持部材２１２，２１４の可動範囲）の一部は光軸方向において互いに重複している。
【手続補正８】
【補正対象書類名】明細書
【補正対象項目名】００７４
【補正方法】変更
【補正の内容】
【００７４】
したがって、低出力で小型の振動型リニアアクチュエータを使用することができ、この結果、レンズ鏡筒の小型化を図ることができる。
さらに、振動子２１９を保持するスペーサ２２１の穴部２２１ａが第２レンズ保持部材２１２の球状突起部２１２ｅと係合し、球状突起部２１２ｅを中心とした回転および光軸方向以外の方向への移動が可能に保持されているので、製造誤差等でいずれかの圧接面の位置や傾きが光軸方向において変化した場合でも、振動子２１９の位置や傾き（向き）が変化して両圧接面は平行に維持され、適正な面接触状態が維持される。このため、スペーサ２２１の位置や傾きが変わった場合でも圧接力は大きく変わらない。したがって、第１の振動型リニアアクチュエータが本来持つ性能に応じた出力を安定的に引き出すことができる。
【手続補正９】
【補正対象書類名】明細書
【補正対象項目名】００７９
【補正方法】変更
【補正の内容】
【００７９】
また、前述したように、スライダ２３４の圧接面２３４ａと振動子２３５の圧接面２３５ａとはコイルバネ２４０，２４１の引張り力によって圧接され、振動子保持部材２３９の球状突起部２３９ｃがスペーサ２３７の円錐穴部２３７ａにコイルバネ２３８の付勢力によってがたなく係合するように押し当てられている。これにより、振動子２３５は、球状突起部２３９ｃ回りでの回転が可能であり、さらに振動子保持部材２３９が軸部２３９ａ，２３９ｂを中心して回転することにより振動子２３５は圧接面２３５ａに略垂直な方向や球状突起部２３９ｃ回りで傾くように移動できるので、製造誤差等でいずれかの圧接面の光軸に平行な軸に対する位置や該軸回りでの傾きが光軸方向において変化した場合でも、振動子２３５の位置や傾き（向き）が変化することによって両圧接面は平行に維持され、適正な面接触状態が維持される。
【手続補正１０】
【補正対象書類名】明細書
【補正対象項目名】０１０７
【補正方法】変更
【補正の内容】
【０１０７】
３３６は振動子３３５の電気−機械エネルギー変換素子に接続されたフレキシブル配線板である。これらスライダ３３４および振動子３３５によって構成される第２の振動型リニアアクチュエータでは、スライダ３３４および振動子３３５が互いに圧接した状態でフレキシブル配線板３３６を介して２つの位相が異なる周波信号（パルス信号又は交番信号）が電気−機械エネルギー変換素子に入力されることにより、振動子３３５の圧接面３３５ａに略楕円運動が発生し、スライダ３３４の圧接面３３４ａに光軸方向の駆動力が発生する。
【手続補正１１】
【補正対象書類名】明細書
【補正対象項目名】０１２２
【補正方法】変更
【補正の内容】
【０１２２】
したがって、光量調節ユニット３１５と、該光量調節ユニット３１５の物体側および像面側に配置された第２および第４レンズ保持部材３１２，３１４（第２および第４レンズユニット３０２，３０４）をそれぞれ駆動する２つの振動型リニアアクチュエータ、これらレンズ保持部材３１２，３１４をそれぞれ光軸方向にガイドする２つのガイドバー３１０，３１１およびこれらレンズ保持部材３１２，３１４のそれぞれの位置を検出する２つのリニアエンコーダを有しながらも、レンズ鏡筒を小型に構成することができる。
【手続補正１２】
【補正対象書類名】明細書
【補正対象項目名】０１４３
【補正方法】変更
【補正の内容】
【０１４３】
ここで、図１６に示すように、光軸直交方向視において、第１のリニアアクチュエータの光軸方向における設置範囲（スライダ４１８が設けられた範囲）および第２レンズ保持部材４１２の光軸方向での可動範囲Ｌ２は、光量調節ユニット４１５よりも物体側（図１６の左側）から像面側に延びている。一方、第２のリニアアクチュエータの光軸方向における設置範囲（マグネット４３５が設けられた範囲）および第４レンズ保持部材４１４の光軸方向での可動範囲Ｌ４は、光量調節ユニット４１５よりも像面側から物体側まで延びている。すなわち、第１および第２のリニアアクチュエータの設置範囲（第２および第４レンズ保持部材４１２，４１４可動範囲）の一部は光軸方向において互いに重複している。
【手続補正１３】
【補正対象書類名】明細書
【補正対象項目名】０１４５
【補正方法】変更
【補正の内容】
【０１４５】
ガイドバー４１１と、コイル４３３、マグネット４３５およびヨーク４３６により構成される第１のリニアアクチュエータと、投受光素子４４９およびスケール４４８により構成される第１のリニアエンコーダとは、図１８に示すように、光軸方向前方から見て、光量調節ユニット４１５の外周面のうち該光量調節ユニット４１５の光軸位置から最も近い外面の１つである平面状の右側面（光軸方向視において直線状の右長辺部）に沿うように、つまりは該右側面に近接して配置されている。また、本実施例では、上側から、ガイドバー４１１、第２のリニアアクチュエータおよび第２のリニアエンコーダの順で互いに隣接して配置されている。
【手続補正１４】
【補正対象書類名】明細書
【補正対象項目名】０１４８
【補正方法】変更
【補正の内容】
【０１４８】
４７４は光量調節ユニット１５の駆動源としてのメータである。４７５はスケール４２８および投受光素子４２９を含む第１のリニアエンコーダとしての第２レンズエンコーダ、４７６はスケール４４８および投受光素子４４９を含む第２のリニアエンコーダとしての第４レンズエンコーダである。これらのエンコーダはそれぞれ、第２レンズユニット４０２および第４レンズユニット４０４の光軸方向での相対位置（基準位置からの移動量）を検出する。本実施例では、エンコーダとして光学式エンコーダを用いているが、磁気式エンコーダを用いてもよいし、電気抵抗を用いて絶対位置を検出するエンコーダ等を用いてもよい。
【手続補正１５】
【補正対象書類名】明細書
【補正対象項目名】０１５１
【補正方法】変更
【補正の内容】
【０１５１】
４８４はオートフォーカス（ＡＦ）のためのＡＦ信号処理回路であり、映像信号の高周波成分を抽出してＡＦ評価値信号を生成する。４８５はズーム操作を行うためのズームスイッチである。４８６はズームトラッキングメモリであり、変倍に際して合焦状態を維持するために、被写体距離と第２レンズユニット４０２の位置とに応じた、第４レンズユニット４０４を駆動すべき目標位置情報を記憶する。なお、ズームトラッキングメモリとしては、ＣＰＵ４８７内のメモリを使用してもよい。
【手続補正１６】
【補正対象書類名】明細書
【補正対象項目名】０１５５
【補正方法】変更
【補正の内容】
【０１５５】
上記構成において、スライダ４１８は磁石を用いて構成され、振動子４１９を吸着することによって振動型リニアアクチュエータとしての駆動力を発生するために必要な圧接力を得ている。このため、圧接力の反力が第２レンズ保持部材４１２には作用しない。これにより、第２レンズ保持部材４１２におけるガイドバー４１０，４１１との係合部４１２ａ，４１２ｂに発生する摩擦力が大きくならず、摩擦による駆動負荷も大きくならない。しかも、板バネ４２２にて発生する力は小さいので、該板バネ４２２からガイドバー４１０，４１１との係合部４１２ａ，４１２ｂに作用する力も小さく、係合部４１２ａ，４１２ｂに発生する摩擦力をほとんど増加させない。したがって、低出力で小型の振動型リニアアクチュエータを使用することができ、この結果、レンズ鏡筒の小型化を図ることができる。
【手続補正１７】
【補正対象書類名】明細書
【補正対象項目名】０１５６
【補正方法】変更
【補正の内容】
【０１５６】
また、大きな圧接力が第２レンズ保持部材４１２に作用することがないので、第２レンズ保持部材４１２におけるガイドバー４１０，４１１との係合部４１２ａ，４１２ｂに発生する摩擦力が大きくならない。したがって、第１のリニアアクチュエータを大出力化したり大型化したりする必要がなく、係合部４１２ａ，４１２ｂのガイドバー４１０，４１１との摩擦による摩耗を低減することもできる。また、第２レンズ保持部材４１２（第４レンズユニット４０２）の微小駆動も正確に行うことができる。
また、製造誤差等でいずれかの圧接面の光軸に平行な軸に対する位置や該軸回りでの傾きが光軸方向において変化した場合でも、板バネ４２２が変形して振動子４１９の位置や傾き（向き）が変化することによって、両圧接面は平行に維持され、適正な面接触状態が維持される。また、板バネ４２２は、上記圧接力よりも小さな力で変形するようにバネ定数が設定されている。このため、圧接面の位置や傾きが変わった場合でも圧接力は大きく変わらない。したがって、第１のリニアアクチュエータが本来持つ性能に応じた出力を安定的に引き出すことができる。
【手続補正１８】
【補正対象書類名】図面
【補正対象項目名】図２
【補正方法】変更
【補正の内容】
【図２】
2006301457.tif 000001
【手続補正１９】
【補正対象書類名】図面
【補正対象項目名】図３
【補正方法】変更
【補正の内容】
【図３】
2006301457.tif 000002
【手続補正２０】
【補正対象書類名】図面
【補正対象項目名】図７
【補正方法】変更
【補正の内容】
【図７】
2006301457.tif 000003
【手続補正２１】
【補正対象書類名】図面
【補正対象項目名】図８
【補正方法】変更
【補正の内容】
【図８】
2006301457.tif 000004
【手続補正２２】
【補正対象書類名】図面
【補正対象項目名】図９
【補正方法】変更
【補正の内容】
【図９】
2006301457.tif 000005
【手続補正２３】
【補正対象書類名】図面
【補正対象項目名】図１０
【補正方法】変更
【補正の内容】
【図１０】
2006301457.tif 000006
【手続補正２４】
【補正対象書類名】図面
【補正対象項目名】図１４
【補正方法】変更
【補正の内容】
【図１４】
2006301457.tif 000007
【手続補正２５】
【補正対象書類名】図面
【補正対象項目名】図１９
【補正方法】変更
【補正の内容】
【図１９】
2006301457.tif 000008